(57)【要約】【課題】  充電時には二次電池との十分な接触圧力を確保し、二次電池の取り外し時には二次電池に対する接触圧力が作用せず、擦れ合うことなく二次電池の装着及び取り外しを容易に行うことができる充電器を提供する。【解決手段】  二次電池を収納する電池収納部７の下方に二次電池に電気的接続する端子１１を設け、カバー５を開閉する回動動作によって端子１１を二次電池の方向に移動させて二次電池の下端側の端子に接触させると共に、二次電池を押し上げて二次電池の上端側の端子を上方の充電端子に接触させる。【選択図】  図１
2005317521.tif 000002
【特許請求の範囲】
【請求項１】
二次電池の正極電池端子及び負極電池端子にそれぞれ接続する正極充電端子及び負極充電端子を備えた電池収納部と、前記電池収納部を覆い回動により開閉するカバーを具備し、前記正極充電端子及び負極充電端子のいずれか一方の充電端子は、前記カバーの回動動作に連動し、カバーを閉じたときに電池収納部に収納された二次電池と接触して電気的に接続し、カバーを開けたときに二次電池から離れるように構成されてなることを特徴とする充電器。
【請求項２】
二次電池を収容する電池収納部に、二次電池の正極電池端子及び負極電池端子にそれぞれ接続する正極充電端子及び負極充電端子が設けられ、前記正極充電端子及び負極充電端子のいずれか一方の充電端子は、Ｌの字状に折り曲げられた折曲片がそれぞれ二次電池の一方の電池端子に接触する２つの接触端子面に形成され、２つの接触端子面それぞれが他方の充電端子からの距離が異なる位置に回動移動するように回動操作によって回動する回動支持軸に支持されてなることを特徴とする充電器。
【請求項３】
二次電池の正極電池端子及び負極電池端子にそれぞれ接続する正極充電端子及び負極充電端子を備えた電池収納部と、前記電池収納部を覆い回動により開閉するカバーを具備し、前記正極充電端子及び負極充電端子のいずれか一方の充電端子は、前記カバーの回動動作に連動し、カバーを閉じたときに電池収納部に収納された二次電池と接触して電気的接続し、カバーを開けたときに二次電池から離れるように構成され、
前記正極充電端子及び負極充電端子の他方の充電端子は、Ｌの字状に折り曲げられた両折曲片がそれぞれ二次電池の電池端子に接触する２つの接触端子面に形成され、２つの接触端子面それぞれが他方の充電端子からの距離が異なる位置に回動移動するように回動操作によって回動する回動支持軸に支持されてなることを特徴とする充電器。
【請求項４】
上ケースと下ケースとで構成される外装体は、半円柱状の円周面を上部に、円柱端面を両側面とし、切平面を底面とした外形を有し、前記カバーは回動により開閉可能で、閉じた状態において、前記底面に斜め方向に二次電池を収容する電池収納部を被覆し、前記円周面の一部を構成したことを特徴とする請求項１〜３いずれか一項に記載の充電器。
【請求項５】
一方の充電端子は、カバーの回動動作に連動して二次電池の正極及び負極の各電池端子の一方の電池端子に接触すると共に、二次電池を押圧して他方の電池端子を他方の充電端子に接触させるように構成されてなることを特徴とする請求項１〜４いずれか一項に記載の充電器。
【請求項６】
電池収納部に、複数の正極充電端子及び負極充電端子が並列配置されてなる請求項１〜５いずれか一項に記載の充電器。
【発明の詳細な説明】
【技術分野】
【０００１】
本発明は、充電器に関し、特に電池と充電端子とを電気的に接続する機構に関するものである。
【背景技術】
【０００２】
昨今、デジタルスチルカメラをはじめとする携帯型の電子機器に対し、繰り返し使用可能な二次電池が好適に用いられている。それらの二次電池を充電するための充電器はより短時間で充電することが求められており、このために充電電流を大きくする傾向がある。
【０００３】
大電流を安定的に流し、かつ二次電池と充電端子との接続部での発熱を抑えるためには、二次電池と電気的に接続する充電端子の接触圧力を大きくする必要があるが、従来の充電器ではこの接触圧力が常時作用する構造であるため二次電池の着脱が困難になる課題があった。この二次電池の取り外しを容易にするため、電池収納部の略中央に支持台を設け、収納した二次電池と電池収納部底面に隙間を形成し、二次電池の端部を底面方向に押す方法や（例えば、特許文献１参照）、支持台に代えて電池収納部底面において、収納された二次電池の略中央部より片側半分を凹ませて二次電池との間に隙間を設け、上記と同様に電池の隙間のある側の端部を押す方法（例えば、特許文献２参照）が提案されている。
【０００４】
また、二次電池においても乾電池と同様に、適用する機器のサイズや消費電力に応じて最適の形状寸法のものが使用できるように、円筒形の二次電池では直径及び高さ寸法が異なる複数品種が用意されており、充電器の正極及び負極の充電端子の対向間隔は二次電池に高さ寸法に対応するように電池収納部に設けられる。従って、充電器は二次電池の品種毎に対応するものを用意することになるが、徒に充電器の種類が増えることは現実的でない。二次電池の寸法が大幅に異なる場合はそれぞれの品種に対応する充電器を用意することになるが、寸法が近い二次電池に対しては複数品種の二次電池に対応できる充電器を用意することがより好ましいものとなる。この課題を解決すべく、ＬＲ６サイズの電池とＬＲ０３サイズの電池とを共通の充電器により充電できるようにしたものが知られている（例えば、特許文献３参照）。この充電器は、図１１に示すように、ＬＲ６電池１０１を横方向にして４本収容できる容積に電池収納部１００を形成すると共に、ＬＲ０３電池１０２の高さ寸法に対応する位置に仕切り壁１０３を設けてＬＲ０３電池１０２を縦方向にして４本収容できるようにしている。ＬＲ６電池１０１及びＬＲ０３電池１０２の収容位置にはそれぞれ正極充電端子１０４及び負極充電端子１０５が設けられているので、ＬＲ６電池１０１を充電するときには電池収納部１００にＬＲ６電池１０１を横方向にして収納し、ＬＲ０３電池１０２を充電するときには電池収納部１００にＬＲ０３電池１０２を縦方向にして収納すると、ＬＲ６電池１０１、ＬＲ０３電池１０２のいずれに対しても１つの充電器で充電することができる。
【特許文献１】特開平０７−３１２２１０号公報
【特許文献２】特開２００２−３１３３０２号公報
【特許文献３】特開平０８−１１５７５０号公報
【発明の開示】
【発明が解決しようとする課題】
【０００５】
しかしながら、上記従来技術に開示されたような電池収納構造では、充電電流を大きくして急速充電を可能にしたとき、端子の接触圧力を大きくする必要があるので、二次電池の装着と取り外しが困難になる課題があった。また、二次電池の装着時及び取り外し時において、充電端子と電池端子とが強く擦れ合うので、充電端子及び電池端子の双方に擦り傷を発生させ、錆の発生やそれに伴う接触不良をまねきやすくなる課題があった。
【０００６】
本発明は、上記従来技術の課題を解決すべく創案されたもので、充電時の二次電池と充電端子との接触圧力を確保し、電池収納部への二次電池の着脱を容易にする相矛盾する要求を解決した充電器を提供することを目的とするものである。
【課題を解決するための手段】
【０００７】
上記目的を達成するために本願第１発明に係る充電器は、二次電池の正極電池端子及び負極電池端子にそれぞれ接続する正極充電端子及び負極充電端子を備えた電池収納部と、前記電池収納部を覆い回動により開閉するカバーを具備し、前記正極充電端子及び負極充電端子のいずれか一方の充電端子は、前記カバーの回動動作に連動し、カバーを閉じたときに電池収納部に収納された二次電池と接触して電気的に接続し、カバーを開けたときに二次電池から離れるように構成されてなることを特徴とする。
【０００８】
上記第１発明の構成によれば、電池収納部を覆うカバーを開いた状態、即ち電池収納部に二次電池を着脱する状態では一方の充電端子は二次電池に接触しないので、二次電池の出し入れが容易であり、着脱時に電池端子や充電端子を傷付けることがない。一方、カバーを閉じる操作を行うと、カバーを閉じる動作に連動して一方の充電端子が二次電池方向に移動して二次電池に接触して押圧するので、二次電池の正極電池端子及び負極電池端子はそれぞれ正極充電端子及び負極充電端子に所定圧力で接触するので、大きな充電電流を流す急速充電を行っても接触抵抗による発熱を防止することができる。
【０００９】
また、本願第２発明に係る充電器は、二次電池を収容する電池収納部に、二次電池の正極電池端子及び負極電池端子にそれぞれ接続する正極充電端子及び負極充電端子が設けられ、前記正極充電端子及び負極充電端子のいずれか一方の充電端子は、Ｌの字状に折り曲げられた折曲片がそれぞれ二次電池の電池端子に接触する２つの接触端子面に形成され、２つの接触端子面それぞれが他方の充電端子からの距離が異なる位置に回動移動するように回動操作によって回動する回動支持軸に支持されてなることを特徴とする。
【００１０】
上記第２発明の構成によれば、正極充電端子及び負極充電端子のいずれか一方の充電端子を回動操作により回動させると、２つの接触端子面は他方の充電端子からの距離が異なる位置に回動移動するので、一方の充電端子の二次電池の電池端子に接触する位置を変更することができる。従って、高さ寸法が異なる複数品種の二次電池に対応させることができるので、二次電池の寸法毎に専用充電器を用意することなく、１台の充電器で寸法が異なる複数品種の二次電池の充電を行うことができる。
【００１１】
また、本願第３発明に係る充電器は、二次電池の正極電池端子及び負極電池端子にそれぞれ接続する正極充電端子及び負極充電端子を備えた電池収納部と、前記電池収納部を覆い回動により開閉するカバーを具備し、前記正極充電端子及び負極充電端子のいずれか一方の充電端子は、前記カバーの回動動作に連動し、カバーを閉じたときに電池収納部に収納された二次電池と接触して電気的接続し、カバーを開けたときに二次電池から離れるように構成され、前記正極充電端子及び負極充電端子の他方の充電端子は、Ｌの字状に折り曲げられた両折曲片がそれぞれ二次電池の電池端子に接触する２つの接触端子面に形成され、２つの接触端子面それぞれが他方の充電端子からの距離が異なる位置に回動移動するように回動操作によって回動する回動支持軸に支持されてなることを特徴とする。
【００１２】
上記第３発明の構成によれば、電池収納部を覆うカバーを開いた状態、即ち電池収納部に二次電池を着脱する状態では一方の充電端子は二次電池に接触しないので、二次電池の出し入れが容易であり、着脱時に電池端子や充電端子を傷付けることがない。一方、カバーを閉じる操作を行うと、カバーを閉じる動作に連動して一方の充電端子が二次電池方向に移動して二次電池に接触して押圧するので、二次電池の正極電池端子及び負極電池端子はそれぞれ正極充電端子及び負極充電端子に所定圧力で接触するので、大きな充電電流を流す急速充電を行っても接触抵抗による発熱を防止することができる。更に、正極充電端子及び負極充電端子の他方の充電端子を回動操作により回動させると、二次電池の電池端子に接触する位置を変更することができるので、寸法が異なる複数品種の二次電池に対応させることができる。従って、二次電池の寸法毎に専用充電器を用意することなく、１台の充電器で寸法が異なる複数品種の二次電池の充電を行うことができる。
【００１３】
上記各構成において、上ケースと下ケースとで構成される外装体は、半円柱状の円周面を上部に、円柱端面を両側面とし、切平面を底面とした外形を有し、前記カバーは回動により開閉可能で、閉じた状態において、前記底面に斜め方向に二次電池を収容する電池収納部を被覆し、前記円周面の一部を構成することにより、カバーを開いて電池収納部に対して二次電池を着脱する作業が容易であり、充電回路の構成要素や二次電池等を冷却するための構成要素などを収容するスペースが確保され、蒲鉾状の安定した形態が得られる。
【００１４】
また、上記第１及び第３の発明において、一方の充電端子は、カバーの回動動作に連動して二次電池の正極及び負極の各電池端子の一方の電池端子に接触すると共に、二次電池を押圧して他方の電池端子を他方の充電端子に接触させるように構成することにより、カバーを開いて二次電池を電池収納部に対して着脱するときには、二次電池の正極及び負極の各電池端子に各充電端子が接触しないので、二次電池の着脱が極めて容易となり、カバーを閉じると正極及び負極の各充電端子は二次電池の各電池端子に所定圧力で接触する。
【００１５】
また、上記各構成において、電池収納部に、複数の正極充電端子及び負極充電端子を並列配置することにより、複数の二次電池に対して同時に充電することができる。
【発明の効果】
【００１６】
本願第１発明によれば、充電時には充電端子の接触圧力が二次電池に作用し、二次電池の装着時及び取り外し時には充電端子の接触圧力は作用しないので、二次電池の装着及び取り外しが容易であり、充電端子と電池端子とは擦れ合うことがないので擦り傷の発生が少なく、安定で良好な接触状態を長期間維持することができる。
【００１７】
また、本願第２発明によれば、二次電池の寸法毎に専用充電器を用意することなく、正極及び負極の各充電端子間の距離を変更することができるので、１台の充電器で寸法が異なる複数品種の二次電池に対して充電を行うことができる。
【００１８】
また、本願第３発明によれば、二次電池の装着及び取り外しが容易であり、充電端子と電池端子とは擦れ合うことがないので擦り傷の発生が少なく、安定で良好な接触状態を長期間維持することができ、二次電池の寸法毎に専用充電器を用意することなく、正極及び負極の各充電端子間の距離を変更することができるので、１台の充電器で寸法が異なる複数品種の二次電池に対して充電を行うことができる。
【発明を実施するための最良の形態】
【００１９】
以下、本発明の実施形態について添付図面を参照して説明する。尚、各図において、同一の構成要素には同一の番号を付している。
【００２０】
図１は、本発明の第１の実施形態に係る充電器１の斜視図で、カバー（外装体）５を開いて電池収納部７を開放した状態を示している。この充電器１は、下ケース（外装体）４と半円柱状の上ケース（外装体）２とにより外装され、半円柱状の円周面の一部は開閉自在にカバー５が形成され、カバー５を開いて開放される内部には、底面とは斜めに電池収納部７が設けられ、電池収納部７には４本の二次電池１３を収容できるように構成されている。
【００２１】
図２及び図３は、上記充電器１の電池収納部７に二次電池１３を収納し、カバー５開いた状態（図２）と、カバー５を閉じた状態（図３）とを示す断面図である。カバー５は底面付近に回動軸を有し、回動により開閉自在となっている。図３に示すように、カバー５を閉じた状態において、カバー５は上ケース２の円周面の一部を形成している。
【００２２】
図２に示すように、カバー５を開いた状態で開放される電池収納部７は、斜め方向に配設されているので二次電池１３を収納しやすく、二次電池１３の下端面はその自重により電池収納部７の下端に安定して静置される。そのとき電池収納部７の下端側に設けられている負極充電端子１１は二次電池１３の下端面とは接触しない状態となっているので、カバー５を開いた状態では二次電池１３の電池収納部７に対する着脱は容易となる。前記負極充電端子１１はカバー５を閉じる回動動作に連動して移動し、二次電池１３を押し上げて正極電池端子を正極充電端子１２に接触させると共に、カバー５が閉じられた状態において二次電池１３の負極電池端子に負極充電端子１１が接触し、充電器１に二次電池１３が電気的に接続される。
【００２３】
上記カバー５の開閉動作に連動した端子接続の詳細について、図４を参照して説明する。尚、図４は、負極充電端子１１付近の部分断面図であり、（Ａ）から（Ｄ）の順にカバー５の開状態から閉状態に移行するときの負極充電端子１１の変化態様を示している。
【００２４】
図４（Ａ）に示すように、カバー５が開かれて電池収納部７に二次電池１３が収納されると、二次電池１３は自重で電池収納部７の下端に接するように静置される。このとき、負極充電端子１１は後退位置にあって二次電池１３には接触しない状態にある。図４（Ｂ）〜（Ｄ）の順に示すように、カバー５を閉じる方向に回動させると、負極充電端子１１はカバー５の回動軸付近に設けられたカム形状部５ａに押圧され、先端部が二次電池１３の下端面となる負極電池端子に接触すると共に二次電池１３を押し上げる方向に移動する。カバー５が完全に閉じられたとき、二次電池１３はその負極電池端子が負極充電端子１１に所要圧力で接触し、二次電池１３の上端面である正極電池端子が電池収納部７の上部に設けられた正極充電端子１２と接触する。
【００２５】
負極充電端子１１はカバー５のカム形状部５ａにより二次電池１３をその円筒軸方向に押圧すると同時に、カバー５が完全に閉じられた状態においては負極充電端子１１に押圧力を加えた状態が安定して保持され、二次電池１３はその両端にある正極電池端子及び負極電池端子が十分な接触圧力で正極充電端子１２及び負極充電端子１１に接触するので、接触抵抗が小さい電気的接続がなされる。従って、急速充電を実施するために正極充電端子１２及び負極充電端子１１から二次電池１３に大きな充電電流を印加しても接触抵抗による発熱や損失の発生が少ない充電を実施することができる。
【００２６】
二次電池１３との接触圧力は負極充電端子１１のバネ弾性により与えられる。負極充電端子１１はバネ弾性を有し、接触抵抗の小さい金属が望ましく、例えば、ニッケルメッキ鋼板や金メッキ鋼板、リン青銅などが好適である。
【００２７】
充電が完了した後、カバー５を開く方向に回動させると、カム形状部５ａが図４（Ｄ）から（Ａ）の逆順に変化する動きにより、負極充電端子１１は図４（Ａ）に示すカバー５が開かれた状態で二次電池１３の負極電池端子から離れ、負極充電端子１１による押し上げ力が解除された二次電池１３は自重で下降して正極充電端子１２との接触も開放されるので、二次電池１３の電池収納部７からの取り出しは極めて容易である。
【００２８】
上記構成になる充電器１は、カバー５を開いて二次電池１３を電池収納部７に収納し、カバー５を閉じて充電を開始することができるので、充電途中で二次電池１３を取り出すためにはカバー５を開く必要があり、カバー５を開くと正極及び負極の各充電端子１１，１２と二次電池１３との接続が遮断されるので、誤って充電中に二次電池１３を抜き出して端子間にスパークが発生し、それによって充電器１や二次電池１３が損傷を受けることを防止することができる。
【００２９】
また、カバー５が閉じられた環境中で大電流を流す急速充電を行うと二次電池１３の発熱も大きくなり、内部に熱がこもりやすくなるので、通風により二次電池１３を冷却する通風経路を形成すると共に、送風機構を設けることがより好ましい構成となる。
【００３０】
図５に示すように、電池収納部７に二次電池１３を収納してカバー５を閉じたとき、カバー５の下端と下ケース４との間には外気を電池収納部７に導入する隙間が形成されている。また、図１に示すように、電池収納部７の二次電池１３の収納位置には、その下方にスリット状に下通気口８ａが形成され、上方には上通気口８ｂが開口している。図６に断面図として示すように、下ケース４上には充電回路等を構成した基板１０が配設され、その上に送風ファン１４が設けられているので、送風ファン１４が駆動されると、前述したようにカバー５の下端に形成される隙間から外気が導入される。導入された外気は、図５、図６に示すように、二次電池１３に沿って流れ、前記下通気口８ａ及び上通気口８ｂから上ケース２内に入り、送風ファン１４に送風されて上ケース２の天面部３に形成された排気口９から外部に排出される。この冷却構造により二次電池１３は外気により効率よく冷却されるので、急速充電を行っても二次電池１３の温度上昇は抑えられる。
【００３１】
以上説明した構成においては、二次電池１３をその正極電池端子を上向きにして電池収納部７に収容し、負極電池端子に接触する負極充電端子１１をカバー５の開閉に連動して移動させているが、正極、負極の位置関係を逆にすることも可能である。
【００３２】
次に、本発明の第２の実施形態について説明する。尚、第１の実施形態の構成と共通の構成要素には同一の符号を付し、その説明は省略する。
【００３３】
図７は、第２の実施形態に係る充電器２０の構成を示す斜視図で、正極充電端子２２とその回動支持構造が異なるのみで他の構成は第１の実施形態と同様に構成されている。この充電器２０は、レバー２４の回動操作により正極充電端子２２の接触位置を変更して直径及び高さ寸法が異なる２種類の二次電池１３，２３に対応できるように構成されたものである。
【００３４】
図８（ａ）（ｂ）は、第２の実施形態に係る充電器２０の要部構成を示す断面図で、レバー２４の回動操作により正極充電端子２２を回動させ、充電器２０により寸法が異なる２種類の二次電池１３，２３を充電することを可能にしている。負極充電端子１１をカバー５の回動に連動させて位置移動させる構造は、第１の実施形態と同様に構成しているので、その説明は省略する。
【００３５】
図８（ａ）は、直径＝１４．５ｍｍ、高さ＝５０．０ｍｍ（ＬＲ６サイズ）の二次電池１３を充電するために、正極充電端子２２を下方回動停止位置に移動させた状態を示しており、レバー２４を反時計回りに停止位置まで回動操作することにより、図示する二次電池１３に対応する状態が得られる。
【００３６】
図８（ｂ）は、直径＝１０．５ｍｍ、高さ＝４４．５ｍｍ（ＬＲ０３サイズ）の二次電池２３を充電するために、正極充電端子２２を上方回動停止位置に移動させた状態を示しており、レバー２４を時計回りに停止位置まで回動操作することにより、図示する二次電池２３に対応する状態が得られる。
【００３７】
前記正極充電端子２２は、図９に示すように、リン青銅などの板材をＬの字状に折り曲げ加工して構成され、各折曲片２２ａ、２２ｂに二次電池１３及び二次電池２３にそれぞれ対応する接続突起２２ｃが形成されている。充電器２０は４個の二次電池１３又は二次電池２３に対して同時に充電することができるように構成されているので、正極充電端子２２は回動支持軸２５に固着された支持板２６に４個が並列に固定される。前記回動支持軸２５の中央部に前記レバー２４が固定されるので、レバー２４を回動操作することにより、正極充電端子２２は回動して図８（ａ）と図８（ｂ）とに示す状態に切り換えることができる。尚、折曲片２２ｂには二次電池２３からの押圧力によって変形が生じないように、図９に示すように、補強部２２ｄを折曲片２２ａに接合して補強構造が設けられている。折曲片２２ａは支持板２６によって背面が支持されるので二次電池１３からの押圧力によって変形を受けない。
【００３８】
図１０は、正極充電端子２２を回動させることにより高さ寸法が異なる２種類の二次電池１３，２３に対応できるようにした構造を説明するもので、Ｌの字状に折り曲げ形成された正極充電端子２２は折曲片２２ａの背面が回動支持軸２５にその外周に接するように固定されている。レバー２４により回動支持軸２５を半時計回りに回動させた実線表示位置では、折曲片２２ａが寸法の大きい方の二次電池１３の正極電池端子１３ａに接触する位置となっており、前述したようにカバー５を閉じる回動により負極充電端子１１が二次電池１３を押圧するので、二次電池１３は押し上げられて、その正極電池端子１３ａが正極充電端子２２の折曲片２２ａに形成された接続突起２２ｃに圧接する。
【００３９】
寸法が小さい方の二次電池２３を充電するときには、レバー２４により回動支持軸２５を時計回りに回動させると、正極充電端子２２は図１０に破線表示する位置に移動し、折曲片２２ｂが負極充電端子１１と対向する位置に移動する。この折曲片２２ｂの位置は、二次電池１３と二次電池２３の高さ寸法の差に相当する位置で、折曲片２２ａの位置より負極充電端子１１寄りの位置となる。この二次電池２３を充電するときもカバー５を閉じる回動により負極充電端子１１が二次電池２３を押圧するので、二次電池２３は押し上げられて、その正極電池端子２３ａが正極充電端子２２の折曲片２２ｂに形成された接続突起２２ｃに圧接する。
【００４０】
図８に示すように、前記レバー２４には、回動支持軸２５を中心とする円弧形状部の所定角度位置に切欠き２４ａ，２４ｂが形成されており、充電回路が構成された基板１０に一端が固定され、回路接続されたバネ部材２７が円弧形成部に当接している。レバー２４を反時計回りに回動操作すると、切欠き２４ａにバネ部材２７に設けられた突起２７ａが嵌入して回動をロックし、レバー２４を時計回りに回動操作すると、切欠き２４ｂにバネ部材２７に設けられた突起２７ａが嵌入して回動をロックするので、正極充電端子２２を２箇所の回動位置に位置決めすることができる。
【００４１】
前記バネ部材２７の下端は基板１０に固定され、電気的接続がなされているので、正極充電端子２２、支持板２６、回動支持軸２５、レバー２４、バネ部材２７を通じた通電経路が形成され、正極充電端子２２には基板１０から通電経路を経て充電電流が給電される。
【００４２】
上記第２の実施形態においては負極充電端子１１を第１の実施形態において説明したようにカバー５の回動に連動して移動する構造としているが、負極充電端子１１を一定位置に固定した構造とすることもできる。但し、そのときには二次電池１３，２３の装着及び取り出しに際して電池端子に擦り傷を与えやすくなるので、負極充電端子１１はカバー５の回動に連動して移動する構造とするのが好適である。
【産業上の利用可能性】
【００４３】
以上の説明の通り本発明によれば、二次電池や充電端子に擦り傷を生じさせることなく確実な接触状態を安定的に維持して二次電池との接続状態が得られるので、ニッケル水素蓄電池やリチウムイオン二次電池等を大電流で急速充電する充電器に好適である。また、寸法が異なる二次電池の充電に対応できるので、二次電池の寸法毎に専用充電器を用意する無駄がなくなり使用者が複数寸法の二次電池を使用する際の利便性を与えることができる。
【図面の簡単な説明】
【００４４】
【図１】第１の実施形態に係る充電器の構成を示す斜視図。
【図２】同上充電器のカバーを開いた状態を示す断面図。
【図３】同上充電器のカバーを閉じた状態を示す断面図。
【図４】カバーの開閉動作に伴う端子の変化を順を追って説明する部分断面図。
【図５】同上充電器のカバーを閉じた状態での冷却空気の流れを説明する斜視図。
【図６】同上充電器の冷却構造を説明する断面図。
【図７】第２の実施形態に係る充電器の構成を示す斜視図。
【図８】同上充電器の正極充電端子の接触位置変更構造を示す断面図。
【図９】同上正極充電端子の構成を示す斜視図。
【図１０】正極充電端子の回動移動による位置変化を説明する説明図。
【図１１】従来技術に係る充電器の要部構成を示す平面図。
【符号の説明】
【００４５】
１、２０  充電器
２  上ケース（外装体）
４  下ケース（外装体）
５  カバー（外装体）
５ａ  カム形状部
７  電池収納部
１１  負極充電端子
１２、２２  正極充電端子
１３、２３  二次電池
２２ａ，２２ｂ  折曲片
２４  レバー
２５  回動支持軸
【図１】
2005317521.tif 000003
【図２】
2005317521.tif 000004
【図３】
2005317521.tif 000005
【図４】
2005317521.tif 000006
【図５】
2005317521.tif 000007
【図６】
2005317521.tif 000008
【図７】
2005317521.tif 000009
【図８】
2005317521.tif 000010
【図９】
2005317521.tif 000011
【図１０】
2005317521.tif 000012
【図１１】
2005317521.tif 000013